(57)【特許請求の範囲】
【請求項１】
内容物を収納する収納部を有する容器本体と前記容器本体に形成された開口部とを有する容器と、
前記収納部に収納された前記内容物を吸引できるように前記開口部内に取り付けられたピストン部を有するポンプと、
押下ボタン本体と前記押下ボタン本体に形成され前記ピストン部に取り付けられるボタン接続部と前記押下ボタン本体に形成された突起部とを有する押下ボタンと、を備え、
前記突起部は、前記押下ボタン本体に形成された突起基部と、前記押下ボタン本体から破断する破断部とを有し、
前記容器は、さらに、前記ピストン部がピストン上限位置からピストン下限位置への押下方向に移動する際に、前記破断部が破断するように前記突起部と接触する接触部を有する、ポンプ容器。
【請求項２】
前記ボタン接続部は、前記押下ボタン本体が前記接触部に対して、前記押下方向及び前記押下方向とは反対方向である戻り方向に伸びるボタン回転軸を中心に回転可能に前記ピストン部に取り付けられており、
前記押下ボタンは、前記押下ボタン本体の押下方向側の端部から前記押下方向に伸びるリブ部を有し、
前記容器は、前記押下ボタン本体が押下阻止回転位置にあるとき、前記リブ部の前記押下方向側が当接する、前記開口部内に凸状に形成された押下阻止部と、前記押下ボタン本体が押下許容回転位置にあるとき、前記リブ部の前記押下方向側が入り込む、前記開口部内に形成された押下許容溝部とを有する、請求項１に記載のポンプ容器。
【請求項３】
前記ピストン部は、ピストン先端部とピストン基端部とを有し、
前記ボタン接続部は、前記ピストン先端部のみ嵌合する仮嵌合状態と前記ピストン先端部及び前記ピストン基端部に嵌合する完全嵌合状態とになり、
押下阻止部は、前記仮嵌合状態かつ前記押下ボタン本体が前記押下阻止回転位置にあるとき、前記開口部内に形成された前記リブ部の前記押下方向側が略当接し、
前記容器は、さらに、前記完全嵌合状態かつ前記押下ボタン本体が前記押下阻止回転位置と前記押下許容回転位置との間の押下一部許容回転位置にあるとき、前記開口部内に形成された前記リブ部の前記押下方向側が略当接する押下一部阻止部を有する、請求項２に記載のポンプ容器。
【請求項４】
前記破断部は、前記完全嵌合状態において、前記開口部から露出しない位置に形成されている、請求項３に記載のポンプ容器。
【請求項５】
前記リブ部の前記押下方向側の端面と、前記押下阻止部の前記戻り方向側の端面とは、前記仮嵌合状態において、前記押下ボタン本体が前記押下阻止回転位置にあるとき、互いに噛み合う凸凹形状を有する、請求項３又は４に記載のポンプ容器。
【請求項６】
前記容器は、さらに、前記開口部の内側に前記ボタン回転軸側に隆起する凸条部を有し、
前記破断部が前記押下ボタン本体から破断した状態において、前記ピストン部が前記押下方向又は前記戻り方向に移動する際に、前記突起基部が、弾性変形しながら前記容器の前記凸条部を乗り越える、請求項２から５のいずれかに記載のポンプ容器。
【請求項７】
前記押下ボタンは、前記リブ部において前記ボタン回転軸とは反対側であるリブ部外側面から隆起するリブ凸部を有し、
前記容器は、さらに、前記押下ボタンが前記押下許容回転位置と前記押下阻止回転位置との間を移動することができるように、前記リブ凸部を案内することができる容器側押下阻止用溝であって前記ボタン回転軸を中心とする円周方向に伸び、前記リブ凸部が移動可能な容器側押下阻止用溝を有する、請求項２から６のいずれかに記載のポンプ容器。
【請求項８】
前記開口部は、さらに、前記容器側押下阻止用溝における前記押下方向側の側面から前記戻り方向に向けて隆起する回転抑止用段部を有する、請求項７に記載のポンプ容器。
【請求項９】
前記開口部は、さらに、前記容器側押下阻止用溝の底面から、前記ボタン回転軸に向けて隆起する段部を有する、請求項７又は８に記載のポンプ容器。
【請求項１０】
前記容器は、前記開口部において前記ボタン回転軸側である開口部内側面から前記ボタン回転軸に向けて隆起する容器凸部を有し、
前記押下ボタンは、前記押下ボタンが前記押下許容回転位置と前記押下阻止回転位置との間を移動することができるように、前記ボタン回転軸を中心とする円周方向に伸び、前記容器凸部が移動可能なリブ側押下阻止用溝を有する、請求項２から６に記載のポンプ容器。
【請求項１１】
前記押下ボタンは、さらに、前記リブ側押下阻止用溝における前記戻り方向側の側面から前記押下方向に向けて隆起する回転抑止用リブ段部を有する、請求項１０に記載のポンプ容器。
【請求項１２】
前記押下ボタンは、さらに、前記リブ側押下阻止用溝の底面から、前記ボタン回転軸とは反対側に向けて隆起する段部を有する、請求項１０又は１１に記載のポンプ容器。
【請求項１３】
請求項１から１２のいずれかに記載のポンプ容器と、前記ポンプ容器の前記収納部に収納された内容物とを備え、前記内容物が化粧料である、化粧品。
【発明の詳細な説明】
【技術分野】
【０００１】
本発明は、ポンプ容器及び化粧品に関する。
【背景技術】
【０００２】
ポンプ容器は、例えば、化粧用、毛染め用、洗顔用や洗髪用等の液体などの内容物を収納した容器の開口部に、容器内の内容物を吸い上げるポンプが取り付けられ、ポンプのピストン部に取り付けられた押下ボタンを使用者が押すことにより、ポンプが容器内の内容物を吸い上げ、押下ボタンの吐出口から吐出する（例えば、特許文献１参照）。
【０００３】
そして、ポンプ容器が使用者に届けられる前に、ポンプ容器の落下や取り扱いミスにより押下ボタンが押下されることがないように、押下ボタンがオーバーキャップで覆われるように、オーバーキャップをポンプ容器の取り付け部に取り付けることが行われる（押下ボタンの誤動作防止対策）。また、ポンプ容器が未使用であることを目視で容易に判断することができるように、オーバーキャップとポンプ容器の取り付け部とを１つのシールなどで貼ることが行われる（バージン性（未開封視認性）の確保）。
【先行技術文献】
【特許文献】
【０００４】
【特許文献１】特開２００６−８２３７号公報
【発明の開示】
【発明が解決しようとする課題】
【０００５】
しかし、特許文献１に記載の技術では、ポンプ容器の取り付け部にオーバーキャップやシールという新たな部品を取り付ける必要があるので、オーバーキャップ、シールの部品費用やオーバーキャップ、シールを取り付ける取り付け工数がかかり、ポンプ容器の製造には、高いコストを要する。
また、使用者が、オーバーキャップをポンプ容器の取り付け部に取り付けたり、ポンプ容器の取り付け部からオーバーキャップを取り外したりを繰り返すに従ってポンプ容器の取り付け部に擦れ傷が発生する場合がある。特に、オーバーキャップの取り付け部にも蒸着などの加飾を施したポンプ容器の取り付け部は、オーバーキャップの取り付けと取り外しとの繰り返しによる擦れと、使用時にポンプ容器やオーバーキャップの取り付け部の周辺に付着した内容物（例えば、化粧料）とが相俟って、ポンプ容器やオーバーキャップの取り付け部の加飾が剥がれてしまうという問題もある。
【０００６】
本発明が解決しようとする課題は、少ない部品点数で、押下ボタンの誤動作防止対策が施され、未開封視認性が確保されたポンプ容器を提供することにある。
【課題を解決するための手段】
【０００７】
課題を解決するため本発明に係るポンプ容器は、内容物を収納する収納部を有する容器本体と前記容器本体に形成された開口部とを有する容器と、前記収納部に収納された前記内容物を吸引できるように前記開口部内に取り付けられたピストン部を有するポンプと、押下ボタン本体と前記押下ボタン本体に形成され前記ピストン部に取り付けられるボタン接続部と前記押下ボタン本体に形成された突起部とを有する押下ボタンと、を備える。前記突起部は、前記押下ボタン本体に形成された突起基部と、前記押下ボタン本体から破断する破断部とを有する。前記容器は、さらに、前記ピストン部がピストン上限位置からピストン下限位置への押下方向に移動する際に、前記破断部が破断するように前記突起部と接触する接触部を有する。
【発明の効果】
【０００８】
本発明によれば、少ない部品点数で、押下ボタンの誤動作防止対策が施され、未開封視認性を確保したポンプ容器を提供することができる。
【図面の簡単な説明】
【０００９】
【図１】本発明係るポンプ容器の第１実施形態の一部を省略した垂直断面図である。
【図２】図１に示したポンプ容器における押下ボタンの外観斜視図である。
【図３】図１に示したポンプ容器における容器のキャップの外観斜視図である。
【図４】図１に示したポンプ容器におけるポンプの正面図である。（ａ）は、ポンプのピストン部がピストン上限位置に位置している状態を示す正面図である。（ｂ）は、ポンプのピストン部がピストン下限位置に位置している状態を示す正面図である。
【図５】図１に示したポンプ容器の外観斜視図である。
【図６】図５に示したポンプ容器の状態を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図７】図６に続くポンプ容器の使用方法を説明する外観斜視図である。
【図８】図７に示すポンプ容器の模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図９】図７に続くポンプ容器の使用方法を説明する外観斜視図である。
【図１０】図９に示すポンプ容器の模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図１１】図９に続くポンプ容器の使用方法を説明する外観斜視図である。
【図１２】本発明係るポンプ容器の第２実施形態の一部を省略した垂直断面図である。
【図１３】図１２に続くポンプ容器の使用方法を説明する垂直断面図である。
【図１４】図１３に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図１５】図１４に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図１６】図１５に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図１７】本発明係るポンプ容器の第２実施形態の別形態の一部を省略した押下ボタンとキャップとの位置関係を説明する模式図である。
【図１８】本発明係るポンプ容器の第３実施形態を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図１９】図１８に示したポンプ容器の（ａ）、（ｂ）、（ｃ）における一部省略した水平断面図である。
【図２０】図１８に示したポンプ容器の押下ボタンのリブ凸部と開口部との位置関係を説明するための模式図である。
【図２１】図１８に続くポンプ容器の使用方法を説明する垂直断面図である。
【図２２】図２１に示したポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２３】図２２に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２４】図２３に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２５】図２４に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２６】本発明係るポンプ容器の第４実施形態を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２７】図２６に示したポンプ容器の押下ボタンのリブ部を説明する模式図である。
【図２８】図２６に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図２９】図２８に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図３０】図２９に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図３１】図３０に続くポンプ容器の使用方法を説明する模式図である。（ａ）は、押下ボタンの向きを説明する水平断面図である。（ｂ）は、押下ボタンの部分垂直断面図である。（ｃ）は、押下ボタンとキャップとの位置関係を説明する模式図である。
【図３２】本発明係るポンプ容器の突起部の別の実施形態を示す上面図である。
【図３３】本発明係るポンプ容器の突起部のさらに別の実施形態を示す部分拡大した側面図である。
【図３４】本発明係るポンプ容器の突起部のさらに別の実施形態を示す部分拡大した側面図である。
【発明を実施するための形態】
【００１０】
以下、本発明の実施の形態について、添付した図面を参照して詳しく説明するが、本発明は、これらの実施の形態により限定されるものではない。
【００１１】
（第１実施形態）
以下、図１から図１１を参照して、本発明に係る第１実施形態のポンプ容器１及び化粧品１００を説明する。
【００１２】
化粧品１００のポンプ容器１は、化粧料のような内容物Ｘを収納した容器５の開口部５８に、容器５内の内容物Ｘを吸い上げるポンプ３０が取り付けられ、ポンプ３０のピストン部３３に取り付けられた押下ボタン７０を使用者が押すことにより、ポンプ３０が容器５内の内容物Ｘを吸い上げ、押下ボタン７０の吐出口７２から吐出する。
以下の説明では、ポンプ容器１のポンプ３０のピストン部３３がピストン上限位置（図４（ａ）参照）とピストン下限位置（図４（ｂ）参照）との間を上下動する方向を上下方向Ｚとする。上下方向Ｚにおいて、使用者が押下ボタン７０を押す方向を押下方向Ｚ１、その逆の方向を戻り方向Ｚ２とする。押下ボタン７０は、押下方向Ｚ１及び戻り方向Ｚ２に伸びるボタン回転軸Ｃを中心に容器５に対して、後述する押下阻止回転位置と押下許容回転位置との間を回転可能にポンプ３０のピストン部３３に取り付けられている。上下方向Ｚすなわちボタン回転軸Ｃを中心に、押方向から見て反時計方向に、押下ボタン７０の回転角度を定義する。
押下阻止回転位置とは、後述するように、ピストン部３３がピストン下限位置に移動しないように、押下ボタン７０が開口部５８に接触している位置であり、押下許容回転位置とは、ピストン部３３がピストン下限位置に移動できるように、押下ボタン７０が開口部５８に接触しない位置である。
【００１３】
（化粧品）
図１に示すように、化粧品１００は、ポンプ容器１と、ポンプ容器１の収納部１２に収納された内容物Ｘとを備える。内容物Ｘは、美容液や乳液、洗顔剤などの化粧料である。
【００１４】
（ポンプ容器）
図１に示すように、ポンプ容器１は、容器５と、ポンプ３０と、押下ボタン７０とを備える。
【００１５】
（容器）
図１に示すように、容器５は、容器本体１０と、キャップ５０とを有する。
【００１６】
（容器本体）
容器本体１０は、化粧用、毛染め用、洗顔用や洗髪用等の液体などの内容物を収納することができるように、底部が塞がれた筒形状の収納部１２と収納部１２に形成された筒状の首部１４とを有する。首部１４は、収納部１２内に収納された内容物を取り出すことができるような円筒形状を有し、首部１４の外周には雄ネジが形成されている。なお、収納部１２の形状は、収納部１２内に所定量の内容物を収納できれば、限定されず、多角柱状、楕円形状、又は、収納部１２の底部側とキャップ５０がある側との間で断面形状が異なってもよいし、これらの形状の組み合わせであってもよい。
【００１７】
（キャップ）
図１及び図３に示すように、キャップ５０は、キャップ本体５１と、開口部５８と、取付部５３と、接触部５４と、押下阻止部５５と、押下許容溝部５６と、ポンプ押さえ部５２とを有する。
【００１８】
キャップ本体５１は筒状に形成されており、キャップ本体５１には筒状の軸方向に貫通する開口部５８が形成されている。取付部５３は、円筒内側面状の形状を有し、開口部５８の内側の押下方向Ｚ１側に形成されている。取付部５３には、容器本体１０の首部１４に水密的に取り付けることができるように、首部１４に形成された雄ネジに螺合する雌ネジが形成されている。ポンプ押さえ部５２は、首部１４に載置されたポンプ３０の鍔部３２を押さえることができるように、開口部５８内において、取付部５３の戻り方向Ｚ２側に形成されている。
接触部５４は、後述する突起部８０と接触するように、上下方向Ｚにおいて容器本体１０とは反対方向（戻り方向Ｚ２）側の端部である。
【００１９】
押下阻止部５５は、押下ボタン７０の押下ボタン本体７１が押下阻止回転位置にあるとき、後述するリブ部７４の押下方向Ｚ１側が押下阻止部５５に当接して、ピストン上限位置にあるピストン部３３がピストン下限位置に向けて移動しないように、開口部５８内に形成された上下方向Ｚに伸びる複数の凸条部で構成されている。押下阻止部５５は、ピストン上限位置にあるピストン部３３がピストン下限位置に向けての移動を阻止することができれば、その構成は限定されず、例えば、上下方向Ｚに伸びる１つの凸条部で形成してもよい。
押下許容溝部５６は、押下ボタン本体７１が押下許容回転位置にあるとき、リブ部７４の押下方向側の端部が入り込んで、ピストン部３３がピストン下限位置に移動できるように、開口部５８内に形成された溝部である。押下許容溝部５６は、ピストン部３３がピストン下限位置に移動することを阻害しなければ、その構成は限定されず、例えば、切り欠き形状であってもよい。
本実施形態では、２つの押下阻止部５５と２つの押下許容溝部５６とが、交互に、開口部５８内に形成されている。
【００２０】
（ポンプ）
図４に示すように、ポンプ３０は、シリンダ本体３１と、ピストン部３３と、ピストン付勢部３９と、吸引穴３４と、吐出口３５と、を有する。ポンプ３０は、ピストン部３３がシリンダ本体３１に対してピストン上限位置とピストン下限位置との間を上下動すると、収納部１２内の内容物Ｘを吸引穴３４から吸引し、吐出口３５から吐出するように構成されている。
シリンダ本体３１は、円筒形状を有するシリンダ部３８と、シリンダ部３８から延在している鍔部３２と、シリンダ本体３１に形成された内容物Ｘを吸引する、上下方向Ｚに伸びる吸引穴３４とを有する。
シリンダ本体３１は、収納部１２に収納された内容物Ｘを吸引できるように、開口部５８内に取り付けられている。具体的には、シリンダ本体３１は、取付部５３の雌ネジが首部１４の雄ネジに螺合する際に、キャップ５０のポンプ押さえ部５２と首部１４の端部とが鍔部３２を水密的に挟むことにより、開口部５８に取り付けられる。
【００２１】
ピストン部３３は、ピストン上限位置（図４（ａ））とピストン下限位置（図４（ｂ））との間のピストンストローク範囲において、ピストン上限位置からピストン下限位置への押下方向Ｚ１と押下方向Ｚ１とは反対方向である戻り方向Ｚ２とに上下動可能にシリンダ本体３１に取り付けられている。
ピストン部３３は、戻り方向Ｚ２に伸びる柱外側面形状部３６と、柱外側面形状部３６を戻り方向Ｚ２側であるピストン先端部３６ａと押下方向Ｚ１側であるピストン基端部３６ｂとに分けるように、柱外側面形状部３６に円周方向に伸びる凸条部３７（図６（ｂ））とを有する。
吐出口３５は、シリンダ本体３１の吸引穴３４に水密的に接続する柱外側面形状部３６に形成された穴である。
【００２２】
ピストン付勢部３９は、例えば、圧縮コイルバネのような、付勢力を有する付勢手段である。ピストン付勢部３９は、ピストン部３３が戻り方向Ｚ２への付勢力を付与することができるように、圧縮状態でシリンダ本体３１の内部に収納されている。したがって、ピストン部３３に押下方向Ｚ１の外力が作用していない状態では、ピストン部３３は、ピストン上限位置に位置し、ピストン付勢部３９の付勢力よりも大きな外力が押下方向Ｚ１にピストン部３３に作用すると、ピストン付勢部３９が押下方向Ｚ１に圧縮され、ピストン部３３は、ピストン下限位置に移動する。
【００２３】
（押下ボタン）
図２に示すように、押下ボタン７０は、概略、略円柱形状を有する。押下ボタン７０は、押下ボタン本体７１と、吐出口７２と、ボタン接続部７３（図１）と、突起部８０と、２つのリブ部７４と、２つの逃げ溝７５とを有する。
押下ボタン本体７１は、使用者が押下ボタン本体７１を例えば２つの指（親指と人差し指）で挟みやすい形状、例えば、円筒状の形状を有する。また、押下ボタン本体７１には、使用者が押下ボタン７０を回転させる際に、使用者が押下ボタン本体７１を例えば２つの指（親指と人差し指）で挟んだ押下ボタン本体７１が滑りにくいように、押下ボタン本体７１の２つの側面部分（２つの側面部分は、押下ボタン本体７１の側面のうち、ポンプ回転軸Ｃを中心に１８０°回転した部分）に、複数のスリッドの滑り止めなどが施されたガイド部７１ａが形成されていることが好ましい。
押下ボタン本体７１の一方の端部（戻り方向Ｚ２側の端部）には、使用者が押下する押下面７９が形成されている。
押下ボタン本体７１の側面には、吐出口７２と突起部８０とが隆起している。
突起部８０は、吐出口７２の押下方向Ｚ１側に形成されている。突起部８０は、吐出口７２と同じ方向に形成されているが、吐出口７２とは反対側に形成されていてもよい。突起部８０が吐出口７２と同じ側に形成されていると、上下方向Ｚにおいて、吐出口７２が突起部８０を覆うように位置するので、使用前に、突起部８０が接触部５４以外のものに接触しにくい。また、突起部８０が吐出口７２とは反対側に形成されていると、突起部８０の戻り方向Ｚ２側には、使用者からの視認を遮るものを形成する必要がないので、使用者の視認性が向上する。
突起部８０は、使用者が押下ボタン７０を回転させ易いように、押下ボタン本体７１における吐出口７２と同じ側又は反対側に形成することがこのましい。
【００２４】
図１に示すように、押下ボタン本体７１の内部には、ボタン接続部７３が形成されている。ボタン接続部７３は、ピストン部３３の柱外側面形状部３６に水密的に嵌合するように、円筒内側面状に形成されている。ボタン接続部７３は、押下ボタン本体７１がシリンダ本体３１に対して、押下方向Ｚ１及び戻り方向Ｚ２に伸びるボタン回転軸Ｃを中心に押下許容回転位置（図７の回転角度９０°の状態）と押下阻止回転位置（図５の回転角度０°の状態）との間を回転可能にピストン部３３に取り付けられている。
【００２５】
ボタン接続部７３は、柱外側面形状部３６において、ピストン先端部３６ａのみ嵌合する仮嵌合状態（図６（ｂ））とピストン先端部３６ａ及びピストン基端部３６ｂに嵌合する完全嵌合状態（図１０（ｂ））とになるように、また、柱外側面形状部３６が凸条部３７を乗り越えた感触を使用者が感じるように、凸条部３７の外径よりも若干小さい内径を有することが好ましい。
【００２６】
吐出口７２は、ボタン接続部７３に水密的に接続している。これにより、ピストン部３３の吐出口３５から吐出された内容物Ｘは、ボタン接続部７３を介して吐出口７２から押下ボタン７０の外に吐出するものである。
各リブ部７４は、押下ボタン本体７１の押下方向Ｚ１側の端部から押下方向Ｚ１に伸びるように押下ボタン本体７１に形成されている。２つのリブ部７４の間には、後述する押下阻止部５５が入り込む逃げ溝７５が形成されている。
また、各リブ部７４は、押下ボタン本体７１の押下の際に作用する外力を受けるので、押下ボタン本体７が倒れにくいように、押下ボタン本体７１の押下方向Ｚ１側の端部のうち、ボタン回転軸Ｃから離れた位置にから隆起していることが好ましい。リブ部７４の数は、限定されないが、２つ以上が好ましい。使用者は、押下ボタン本体７１を押下阻止回転位置と押下許容回転位置とに回転させて押下可能状態と押下不可能状態とに使い分けるので、リブ部７４の数は、２つが好ましい。
【００２７】
突起部８０は、押下ボタン本体７１に形成された２つの柱状の突起基部８２と、２つの突起基部８２の先端から橋渡すように円弧状の破断部８１とを有する。破断部８１は、ピストン部３３の上下動により、接触部５４に接触して、押下ボタン本体７１から破断するように形成されている。本実施形態では、押下ボタン７０において、突起部８０は、吐出口７２と同じ方向に形成されている。
【００２８】
（ポンプ容器の出荷状態）
図５及び図６に示すように、ポンプ容器１は、以下のような状態で出荷される。
まず、ピストン部３３は、ピストン上限位置に位置する。ボタン接続部７３は、柱外側面形状部３６において、ピストン先端部３６ａのみ嵌合する仮嵌合状態である。押下ボタン本体７１は、押下阻止回転位置に位置している。
したがって、押下方向Ｚ１の外力が押下ボタン７０の押下面７９に作用しても、押下ボタン７０が押下方向Ｚ１に移動することを阻止するように、押下ボタン７０のリブ部７４の押下方向Ｚ１側の端部がキャップ５０の押下阻止部５５に当接するので、突起部８０は、キャップ５０の接触部５４には接触せず、接触部５４の戻り方向Ｚ２側に位置している状態を維持する。このため、ポンプ容器１は、押下ボタン７０の誤動作防止対策が施された状態であり、また、未開封視認性が確保された状態である。
なお、押下阻止部５５とリブ部７４との間には、仮嵌合状態から完全嵌合状態になる際の嵌り寸法と同じか、又は、押下阻止部５５とリブ部７４とが互いに当接しない程度の大きい隙間ａが形成されている。
【００２９】
（ポンプ容器の使用方法）
次に、使用者におけるポンプ容器１の使用方法を説明する。
図５及び図６に示すように、出荷時のポンプ容器１の状態において、押下ボタン７０の吐出口７２が隆起している方向を、押下阻止回転位置を基点（角度０°）とし、ボタン回転軸Ｃを中心に反時計方向の角度で表す。なお、以下の説明では、便宜上、押下ボタン７０の回転方向を反時計方向としているが、時計方向（２７０°）へ回転させてもよい。反時計方向（９０°）へ回転させた場合と、時計方向（２７０°）へ回転させた場合とは、共に、同様の効果を奏する。
まず、図７及び図８に示すように、使用者は、角度０°の向きの押下ボタン７０を持って、押下ボタン７０をボタン回転軸Ｃの周りを反時計方向に回転させ角度９０°の向き（又は時計方向２７０°の向き）に向ける。これにより、リブ部７４はボタン回転軸Ｃを中心に９０°だけ反時計方向に回転し（又は２７０°だけ時計方向に回転し）、リブ部７４の押下方向Ｚ１の先に押下許容溝部５６が位置する。また、逃げ溝７５の押下方向Ｚ１の先に押下阻止部５５が位置する。
【００３０】
次に、図９及び図１０に示すように、使用者は、押下ボタン７０を押下方向Ｚ１に押下する。このとき、リブ部７４の押下方向Ｚ１の先に押下許容溝部５６が位置し、また、逃げ溝７５の押下方向Ｚ１の先に押下阻止部５５が位置しているので、押下ボタン７０の押下に伴って、突起部８０の破断部８１が接触部５４に接触する。さらに、使用者が押下ボタン７０を押下すると、突起基部８２が接触部５４よりも押下方向Ｚ１側に移動しようとするので、破断部８１と突起基部８２との間にせん断力が発生し、発生したせん断力によって破断部８１が破断する。
また、押下ボタン７０に押下する外力が作用するので、ピストン先端部３６ａのみ嵌合する仮嵌合状態であったボタン接続部７３は、ボタン接続部７３が柱外側面形状部３６に形成された凸条部３７を乗り越えてピストン基端部３６ｂにも嵌合する完全嵌合状態になる。
また、ピストン部３３がピストン付勢部３９の付勢力を抗して押下方向Ｚ１にピストン下限位置になるまで移動するので、ポンプ３０は、収納部１２に収納された内容物Ｘを吸引穴３４から吸引し、吐出口３５から吐出するよう作動する。
このため、吐出口３５から吐出した内容物Ｘはボタン接続部７３を介して吐出口７２から吐出する。
なお、化粧品１００を初めて使用するときは、ポンプ３０の内部に内容物Ｘが充填されていないので、ピストン部３３の押下を何度か繰り返すことにより、内容物Ｘが吐出口３５から吐出することになる。
【００３１】
次に、図１１に示すように、使用者は、押下ボタン７０の押下面７９に押下方向Ｚ１の押下をやめる。これにより、ピストン部３３には押下方向Ｚ１の外力が作用しなくなるので、ピストン付勢部３９の戻り方向Ｚ２の付勢力によって、ピストン部３３は、戻り方向Ｚ２に移動し、ピストン上限位置で止まる。
このとき、突起基部８２は、接触部５４の戻り方向Ｚ２側に位置するので、使用者は、突起基部８２を見て、ポンプ容器１はすでに使用されたことを容易に認識することができる。
また、押下ボタン７０は、押下許容回転位置に位置しているので、リブ部７４の押下方向Ｚ１の先に押下許容溝部５６が位置し、また、逃げ溝７５の押下方向Ｚ１の先に押下阻止部５５が位置している。このため、使用者は、再び、押下ボタン７０の押下面７９を押下方向Ｚ１に押下するだけで、所望の化粧料のような内容物Ｘを吐出口７２から容易に吐出させることができる。
また、ボタン接続部７３は、柱外側面形状部３６において、ピストン先端部３６ａ及びピストン基端部３６ｂに嵌合する完全嵌合状態となっているので、押下ボタン７０が、ポンプ３０から容易には外れないようになる。
さらに、使用者が、ポンプ容器１の使用を止めるときは、押下ボタン本体７１を、リブ部７４の押下方向Ｚ１側に押下阻止部５５が位置するように、ボタン回転軸Ｃを中心に回転させる。これにより、使用者が、誤って、押下ボタン７０を押下しても、リブ部７４の押下方向Ｚ１側の端部が押下阻止部５５に当接するためピストン部３３が殆ど上下動しないので、収納部１２内の内容物Ｘが吐出口７２から突出することが殆どない。
また、押下阻止回転位置と押下許容回転位置を視覚的に把握することができる図柄を接触部５４の天面に印刷してもよい。これにより、使用者は、吐出口７２又は突起基部８２の位置と接触部５４の天面に形成された案内図柄とによって、押下阻止回転位置と押下許容回転位置を視覚的に把握することができる。
【００３２】
ポンプ容器１によれば、使用者が押下ボタン７０を押したり、回して押したりという一つの動作でポンプ容器１のバージン性の機能を解除することが可能である。また、押下ボタン７０が押下阻止回転位置にあるときは、ポンプ容器１の搬送中に押下ボタン７０に作用する外力でポンプ３０が作動することを防止する。また、ポンプ容器１は、従来必要であったオーバーキャップ等の部材は不要になるので、部品点数の削減やポンプ容器１の製造工場におけるポンプ容器１の組み立て作業工程を減らせることができる。ポンプ容器１は、バージン性（未開封視認性）と誤作動防止機能とを備えているので、従来必要であったオーバーキャップ、シール、ストッパーなどの部品を必要とはしないので、ポンプ容器１のデザイン性の自由度を広げることができる。
【００３３】
（第２実施形態）
以下、図１２から図１６を参照して、本発明に係る第２実施形態のポンプ容器１ａを説明する。なお、ポンプ容器１と同じ構成については、同じ符号を付して、その説明を省略する。
【００３４】
（ポンプ容器の構成）
図１２に示すように、容器５のキャップ５０ａは、キャップ５０に対して、さらに、開口部５８の内側にボタン回転軸Ｃ側に隆起する押下一部阻止部５７と、凸条部５９とを有する。
押下阻止部５５は、ボタン接続部７３が仮嵌合状態にあるときかつ押下ボタン本体７１が押下阻止回転位置にあるとき、ピストン部３３がピストン下限位置に移動しないように、開口部５８内に形成されたリブ部７４の押下方向Ｚ１側が略当接するように構成されている。
押下一部阻止部５７は、ボタン接続部７３が完全嵌合状態であるときかつ押下ボタン本体７１が押下阻止回転位置と押下許容回転位置との間の押下一部許容回転位置にあるとき、リブ部７４の押下方向Ｚ１側の端部が当接して、ピストン部３３がピストン下限位置に移動しないように、開口部５８内に形成された部材である。
【００３５】
凸条部５９は、突起部８０が押下ボタン本体７１から破断した状態において、ピストン部３３が押下方向Ｚ１又は戻り方向Ｚ２に移動する際に、突起基部８２が弾性変形しながら凸条部５９を乗り越えるように、ボタン回転軸Ｃを中心に円周方向に伸びるように開口部５８に形成されている。
【００３６】
突起部８０は、完全嵌合状態において、開口部５８から露出しない位置に形成されている。一般に、突起部８０が破断した部分は、意匠性が良くないところ、使用者は突起部８０が破断した部分を容易に視認することができないので、化粧品１００の意匠性は損なわれない。
なお、押下ボタン本体７１が押下許容回転位置に位置し、ピストン部３３が上下動する際に、突起基部８２が凸条部５９に接触しないように、押下方向Ｚ１において、凸条部５９のうち、突起基部８２が位置する部分が、凹んでいてもよい。
【００３７】
（ポンプ容器の出荷状態）
ポンプ容器１ａの出荷状態は、図５及び図６に示すポンプ容器１と略同じ状態である。
したがって、ピストン部３３は、ピストン上限位置に位置する。ボタン接続部７３は、柱外側面形状部３６において、ピストン先端部３６ａのみ嵌合する仮嵌合状態である。押下ボタン本体７１は、押下阻止回転位置に位置している。このため、ポンプ容器１は、押下ボタン７０の誤動作防止対策が施された状態であり、また、未開封視認性が確保された状態である。
【００３８】
（ポンプ容器の使用方法）
次に、使用者におけるポンプ容器１ａの使用方法を説明する。
まず、図７及び図８に示すポンプ容器１と同様に、使用者は、０°の向きの押下ボタン７０を持って、ボタン回転軸Ｃの周りを反時計方向に回転させ角度９０°に向ける（又は、時計方向に回転させ各度２７０°に向ける）。これにより、リブ部７４の押下方向Ｚ１の先に押下許容溝部５６が位置する。また、逃げ溝７５の押下方向Ｚ１の先に押下阻止部５５が位置する。
【００３９】
次に、図１２及び図１３に示すように、使用者は、押下ボタン７０を押下方向Ｚ１に押下する。このとき、押下ボタン７０の押下に伴って、突起部８０の破断部８１が接触部５４に接触する。さらに、使用者が押下ボタン７０を押下すると、破断部８１と突起基部８２との間にせん断力が発生し、発生したせん断力によって破断部８１が破断する。突起基部８２は、凸条部５９を乗り越えて、凸条部５９の押下方向Ｚ１側に移動する。
また、押下ボタン７０に押下する外力が作用するので、ピストン先端部３６ａのみ嵌合する仮嵌合状態であったボタン接続部７３は、ピストン基端部３６ｂにも嵌合する完全嵌合状態になる。
【００４０】
次に、図１４及び図１５に示すように、使用者は、押下ボタン７０の押下面７９に押下方向Ｚ１の押下をやめる。これにより、ピストン部３３には押下方向Ｚ１の外力が作用しなくなるので、ピストン付勢部３９の戻り方向Ｚ２の付勢力によって、ピストン部３３は、戻り方向Ｚ２に移動し、また、突起基部８２は、接触部５４の押下方向Ｚ１側に位置する。上述したように、突起部８０が破断した部分を含む突起基部８２は、意匠性が良くないところ、使用者は突起基部８２を容易に視認することができないので、化粧品１００の意匠性は損なわれない。
突起基部８２は、接触部５４の押下方向Ｚ１側に位置していれば、凸条部５９の押下方向Ｚ１側に接触してもよいし、接触しなくてもよい。このため、使用者は、突起基部８２を視認することができないので、ポンプ容器１ａはすでに使用された状態であることを容易に認識することができる。
また、押下ボタン７０は、押下許容回転位置に位置しているので、リブ部７４の押下方向Ｚ１の先に押下許容溝部５６が位置し、また、逃げ溝７５の押下方向Ｚ１の先に押下阻止部５５が位置している。このため、使用者は、再び、押下ボタン７０の押下面７９を押下方向Ｚ１に押下するだけで、所望量の内容物Ｘを吐出口７２から容易に吐出させることができる。
また、ボタン接続部７３は、柱外側面形状部３６において、ピストン先端部３６ａ及びピストン基端部３６ｂに嵌合する完全嵌合状態となっていると共に、突起基部８２は凸条部５９の押下方向Ｚ１側に接触するので、押下ボタン７０はポンプ３０から容易には外れないようになる。
【００４１】
図１６に示すように、使用者が、ポンプ容器１ａの使用を止めるときは、押下ボタン本体７１を、リブ部７４の押下方向Ｚ１側に押下一部阻止部５７が位置するように、ボタン回転軸Ｃを中心に回転させる（図１６では、押下ボタン本体７１を角度１３５°に回転させている。）。これにより、使用者が、誤って、押下ボタン７０を押下しても、リブ部７４の押下方向Ｚ１側の端部が押下一部阻止部５７に当接するためピストン部３３が殆ど上下動しないので、収納部１２内の内容物Ｘが吐出口７２から突出することが殆どない。つまり、この時点においては、上下方向Ｚにおける、リブ部７４と押下一部阻止部５７との位置は、略同じ位置（略当接する位置）にある。
【００４２】
また、使用者は、リブ部７４の押下方向Ｚ１側の端部が押下一部阻止部５７に当接するまで押下ボタン７０を回転させるだけで、押下ボタン７０の回転位置を目視で確認しなくても、押下ボタン７０を押下一部回転許容位置に回転させることができる。
また、接触部５４の天面に、押下阻止回転位置と押下許容回転位置を視覚的に把握しやすいガイドとなる案内図柄を形成することが好ましい。例えば、ボタン本体７１が押下許容回転位置及び押下阻止回転位置にあるとき、それぞれ、吐出口７２の位置に、押下許容回転位置及び押下阻止回転位置を示す案内図柄が接触部５４の天面に形成されている。このようにすることにより、使用者は、容易に押下阻止回転位置と押下許容回転位置を案内図柄により視覚的に把握する事ができる。
さらに、開口部５８内に、押下ボタン７０を押下一部回転許容位置に回転する直前に突起基部８２が乗り上げるような、上下方向Ｚに伸びる細い凸部を設置することが好ましい。これにより使用者が、ポンプ容器１を使用する際、使用者が押下ボタン７０を押下阻止回転位置から押下許容回転位置へ回転させると、細い凸部と突起基部８２とが接触する。そして、さらに強い力で押下ボタン７０を回転させると、突起基部８２が細い凸部を乗り上げて超える。そして、使用者は乗り上げて超える際の感触や音を、押下ボタン７０を介して感じることができるので、押下ボタン７０が確実に押下許容回転位置に回転したことを判断することができる。
【００４３】
（第２実施形態の別形態）
以下、図１７を参照して、本発明に係る第２実施形態の別形態のポンプ容器１ｂを説明する。なお、ポンプ容器１、１ａと同じ構成については、同じ符号を付して、その説明を省略する。
【００４４】
図１７に示すように、リブ部７４の押下方向Ｚ１側の端面７４ｂと、押下阻止部５５ｂの戻り方向Ｚ２側の端面５５ａとは、ボタン接続部７３が仮嵌合状態にあるときにおいて、押下ボタン７０ａの押下ボタン本体７１が押下阻止回転位置にあるとき、互いに噛み合う凸凹形状を有すること以外は、ポンプ容器１、１ａと同じである。
出荷状態におけるポンプ容器１ｂは、ボタン接続部７３が仮嵌合状態にあるときにおいて、押下ボタン７０ａの押下ボタン本体７１が押下阻止回転位置にあるので、押下ボタン本体７１がボタン回転軸Ｃを中心に回転し難いように、押下方向Ｚ１側の端面７４ｂと、押下阻止部５５ｂの戻り方向Ｚ２側の端面５５ａとが噛み合っている。このため、押下ボタン７０ａの誤動作が起こりにくい。
【００４５】
（第３実施形態）
以下、図１８から図２５を参照して、本発明に係る第３実施形態のポンプ容器１ｃを説明する。なお、ポンプ容器１、１ａ、１ｂと同じ構成については、同じ符号を付して、その説明を省略する。
【００４６】
図１８から図２１に示すように、押下ボタン７０ｂは、リブ部７４においてボタン回転軸Ｃとは反対側であるリブ部外側面から隆起するリブ凸部７４ａを有する。
【００４７】
容器５の開口部５８には、容器側押下阻止用溝９１と、回転抑止用段部６２ａと、容器側押下阻止用溝９２と、段部６２ｂとが形成されている。
容器側押下阻止用溝９１は、ボタン接続部７３が完全嵌合状態にあるときにおいて、ピストン部３３がピストン上限位置に位置している状態を維持しながら、押下ボタン７０ｂが押下許容回転位置と押下阻止回転位置との間をリブ凸部７４ａが移動することができるように、ボタン回転軸Ｃの円周方向に伸びる凸条部６１と凸条部６２との間に形成された溝である。つまり、容器側押下阻止用溝９１は、ボタン回転軸Ｃを中心とする円周方向に伸び、リブ凸部７４ａが移動可能な溝である。
【００４８】
図２１に示すように、凸条部６１と凸条部６２とは、ボタン回転軸Ｃを中心とする円周方向に、リブ凸部７４ａの円周方向の幅寸法よりも大きなずれた位置に形成されている。これにより、押下方向Ｚ１において、凸条部６２が隣接する２つの凸条部６１の間に位置することになるので、隣接する２つの凸条部６１の間から挿入されたリブ凸部７４ａは、凸条部６２の戻り方向Ｚ２側に当接することになる。このため、押下ボタン７０ｂをポンプ３０に取り付ける際に、押下ボタン７０ｂを強く押下しても、リブ凸部７４ａは、凸条部６２の戻り方向Ｚ２側に当接するので、突起部８０は接触部５４に接触しない。
容器側押下阻止用溝９１は、ボタン接続部７３が仮嵌合状態にあるときかつピストン部３３がピストン上限位置に位置しているときにおいて、ピストン部３３がピストン下限位置に移動しないように、リブ凸部７４ａが容器側押下阻止用溝９１の戻り方向Ｚ２側（換言すると、凸条部６２の押下方向Ｚ１側）に当接するように、構成されている。
【００４９】
容器側押下阻止用溝９２は、ボタン回転軸Ｃの円周方向に伸びる凸条部６２と凸条部６３との間に形成された溝である。容器側押下阻止用溝９２は、ボタン回転軸Ｃを中心とする円周方向に伸び、リブ凸部７４ａが移動可能な溝である。容器側押下阻止用溝９２は、ボタン接続部７３が完全嵌合状態にあるときかつピストン部３３がピストン上限位置にあるときにおいて、ピストン部３３がピストン下限位置に移動しないように、リブ凸部７４ａが容器側押下阻止用溝９２の戻り方向Ｚ２側（換言すると、凸条部６３の押下方向Ｚ１側）に当接するように、構成されている。
【００５０】
回転抑止用段部６２ａは、容器側押下阻止用溝９１における押下方向Ｚ１側の側面から戻り方向Ｚ２に向けて隆起する段部である。図２１に示すように、回転抑止用段部６２ａは、凸条部６２の両端に形成されていることが好ましい。
【００５１】
図２０に示すように、段部６２ｂは、容器側押下阻止用溝９１の底面から、ボタン回転軸Ｃに向けて隆起する段部である。段部６２ｂは、回転抑止用段部６２ａの近傍に形成されていることが好ましい。
【００５２】
（ポンプ容器の出荷状態）
図１８から図２５を参照して、ポンプ容器１ｃの使用方法を説明する。
図１８から図２１に示すように、ポンプ容器１ｃは、ボタン接続部７３が仮嵌合状態にあり、また、ピストン部３３がピストン上限位置に位置している出荷状態で出荷される。このとき、リブ凸部７４ａは、凸条部６２の戻り方向Ｚ２側に略接触した状態にある（図２０の位置Ａ）。
そして、リブ部７４の押下方向Ｚ１側の端部は、凸条部６２の戻り方向Ｚ２側に位置しているので、押下ボタン７０ｂに押下方向Ｚ１の外力が作用しても、リブ部７４の押下方向Ｚ１側の端部が凸条部６２に当接するので、ピストン部３３は、殆ど上下動しない。
２つの回転抑止用段部６２ａは、ボタン回転軸Ｃを中心とする円周方向において，リブ凸部７４ａを挟むような位置にある。
このため、この略接触する状態で、押下ボタン７０ｂが何らかの外力によって回転しようとしても、押下ボタン７０ｂの回転に伴って、凸条部６２の戻り方向Ｚ２側を摺動するリブ凸部７４ａが回転抑止用段部６２ａに当接するので、押下ボタン７０ｂが押下許容回転位置に回転移動しない。
【００５３】
（ポンプ容器の使用方法）
次に、使用者におけるポンプ容器１ｃの使用方法を説明する。
まず、図１８及び図１９に示すように、リブ凸部７４ａは、凸条部６２の戻り方向Ｚ２側に略接触した状態にある（図２０の位置Ａ）。
そして、使用者は、０°の向きの押下ボタン７０ｂを持って、図１９及び図２０に示すように、吐出口７２を、ボタン回転軸Ｃの周りを反時計方向に回転させ角度９０°に向ける（又は、時計方向に回転させ角度２７０°に向ける。）。
このとき、リブ凸部７４ａが凸条部６２と略接触した状態において、押下ボタン７０ｂを押下阻止回転位置から押下許容回転位置に回転させると、リブ凸部７４ａが凸条部６２を乗り越えて、リブ凸部７４ａが２つの凸条部６１の間に位置する（図２０の位置Ｂ）。さらに、使用者は、乗り越える感触と音で、押下ボタン本体７１を、ロック状態（押下阻止回転位置）から押下許容回転位置へ回転させたことを確認できる。
【００５４】
次に、図２３に示すように、使用者は、ピストン部３３がピストン上限位置からピストン下限位置へ移動するように、押下ボタン７０ｂを押下方向Ｚ１に押下する。このとき、押下ボタン７０ｂの押下に伴って、突起部８０の破断部８１が接触部５４に接触し、破断部８１が破断する。
使用者が押下ボタン７０ｂを押下すると、突起基部８２は、凸条部５９を乗り越えて、凸条部５９の押下方向Ｚ１側に移動すると共に、リブ凸部７４ａは、ボタン回転軸Ｃを中心とする円周方向において、２つの凸条部６２の間を通り、２つの凸条部６３の間に位置する（図２０の位置Ｃ）。
押下ボタン７０ｂに押下する外力が作用するので、ピストン先端部３６ａのみ嵌合する仮嵌合状態であったボタン接続部７３は、ボタン接続部７３が柱外側面形状部３６に形成された凸条部３７を乗り越えてピストン基端部３６ｂにも嵌合する完全嵌合状態になる。
【００５５】
次に、使用者は、押下ボタン７０ｂの押下面７９に押下方向Ｚ１の押下をやめる。これにより、図２４に示すように、ピストン部３３には押下方向Ｚ１の外力が作用しなくなるので、ピストン付勢部３９の戻り方向Ｚ２の付勢力によって、ピストン下限位置に位置するピストン部３３は、戻り方向Ｚ２に移動し、ピストン上限位置で止まる。
このとき、突起基部８２は、接触部５４の戻り方向Ｚ２側に位置するので、使用者は、突起基部８２を見て、ポンプ容器１ｃはすでに使用されたことを容易に認識することができる。
また、ボタン接続部７３は完全嵌合状態となっているので、ピストン部３３に対して押下方向Ｚ１側に位置する。このため、リブ凸部７４ａは、上下方向Ｚにおいて、凸条部６２と凸条部６３との間に位置する（図２０の位置Ｄ）。
【００５６】
次に、図２５に示すように、使用者が、ポンプ容器１ｃの使用を止めるときは、押下ボタン７０ｂを回転させる。
また、ボタン接続部７３は完全嵌合状態となっているので、リブ凸部７４ａは、上下方向Ｚにおいて、凸条部６２と凸条部６３との間に位置している（図２０の位置Ｄ）。このため、押下ボタン７０ｂを押下許容回転位置とは異なる位置に回転させるだけで、リブ凸部７４ａを容器側押下阻止用溝９１内に配置することができる。これにより、リブ凸部７４ａは、押下方向Ｚ１に殆ど移動できなくなる。
【００５７】
（第４実施形態）
以下、図２６から図３１を参照して、本発明に係る第４実施形態のポンプ容器１ｄを説明する。なお、ポンプ容器１、１ａ、１ｂ、１ｃと同じ構成については、同じ符号を付して、その説明を省略する。
【００５８】
図２６から図３１に示すように、キャップ５０ｄは、開口部５８においてボタン回転軸Ｃ側である開口部内側面からボタン回転軸Ｃに向けて隆起する２つの容器凸部１０２を有する。上下方向Ｚにおいて、容器凸部１０２の押下方向Ｚ１側に逃げ溝１０３が形成されている。逃げ溝１０３は、ボタン回転軸Ｃを中心とする円周方向に伸びるように、開口部５８に形成されている。ボタン回転軸Ｃを中心とする円周方向において、容器凸部１０２を等間隔に開口部内側面に形成するように、ボタン回転軸Ｃを中心とする円周方向における各容器凸部１０２の長さは、開口部内側面の１／４の長さであることが好ましい。
押下ボタン７０ｄは、ボタン回転軸Ｃ側に凹んだ、断面形状がコの字状のリブ側押下阻止用溝７４ｃと、リブ側押下阻止用溝７４ｃに形成された回転抑止用リブ段部７４ｅとを有する。回転抑止用リブ段部７４ｅの数は限定されないが、本実施形態では、２つとして説明する。
リブ側押下阻止用溝７４ｃは、押下ボタン７０ｄが押下許容回転位置と押下阻止回転位置との間を移動することができるように、ボタン回転軸Ｃを中心とする円周方向に伸びている。リブ側押下阻止用溝７４ｃは、容器凸部１０２が移動可能な溝である。リブ側押下阻止用溝７４ｃは、容器凸部１０２を案内することができるように、上下方向Ｚにおける容器凸部１０２の幅よりも広い幅を有する。換言すると、リブ側押下阻止用溝７４ｃは、容器凸部１０２のレールとして作用する。
各回転抑止用リブ段部７４ｅは、リブ側押下阻止用溝７４ｃにおける戻り方向Ｚ２側の側面から押下方向Ｚ１に向けて隆起している。２つの回転抑止用リブ段部７４ｅの間の距離は、ボタン回転軸Ｃを中心とする円周方向における容器凸部１０２の長さよりも長いことが好ましい。そのように構成することにより、容器凸部１０２を挟むように、２つの回転抑止用リブ段部７４ｅの間に容器凸部１０２が位置し、押下ボタン７０ｄが回転することを防止することができる。
【００５９】
押下ボタン７０ｄは、さらに、断面形状がコの字状のリブ側押下阻止用溝７４ｃのボタン回転軸Ｃ側の面である底面から、ボタン回転軸Ｃとは反対側に向けて隆起する段部７４ｆを有する。段部７４ｆの数は限定されないが、本実施形態では、２つとして説明する。
２つの段部７４ｆの間の距離は、ボタン回転軸Ｃを中心とする円周方向における容器凸部１０２の長さよりも長いことが好ましい。そのように構成することにより、容器凸部１０２を挟むように、２つの段部７４ｆの間に容器凸部１０２が位置することになる。
【００６０】
（ポンプ容器の使用方法）
次に、使用者におけるポンプ容器１ｄの使用方法を説明する。
まず、図２６及び図２７に示すように、リブ凸部７４ａは、容器凸部１０２の戻り方向Ｚ２側に位置している。
そして、使用者は、０°の向きの押下ボタン７０ｄを持って、図２８に示すように、吐出口７２を、ボタン回転軸Ｃの周りを反時計方向に回転させ角度９０°に向ける（又は、時計方向に回転させ角度２７０°に向ける。）。これにより、押下ボタン７０ｄは、押下阻止回転位置から押下許容回転位置に回転し、リブ凸部７４ａが２つの容器凸部１０２の間に位置する。
【００６１】
次に、図２９に示すように、使用者は、ピストン部３３がピストン上限位置からピストン下限位置へ移動するように、押下ボタン７０ｄを押下方向Ｚ１に押下する。このとき、押下ボタン７０ｄの押下に伴って、突起部８０の破断部８１が接触部５４に接触し、破断部８１が破断する。
使用者が押下ボタン７０ｄを押下すると、突起基部８２は、凸条部５９を乗り越えて、凸条部５９の押下方向Ｚ１側に移動すると共に、リブ凸部７４ａは、ボタン回転軸Ｃを中心とする円周方向において、２つの容器凸部１０２の間を通る。
押下ボタン７０ｄに押下する外力が作用するので、ピストン先端部３６ａのみ嵌合する仮嵌合状態であったボタン接続部７３は、ボタン接続部７３が柱外側面形状部３６に形成された凸条部３７を乗り越えてピストン基端部３６ｂにも嵌合する完全嵌合状態になる。
【００６２】
次に、使用者は、押下ボタン７０ｄの押下面７９に押下方向Ｚ１の押下をやめる。これにより、図３０に示すように、ピストン部３３には押下方向Ｚ１の外力が作用しなくなるので、ピストン付勢部３９の戻り方向Ｚ２の付勢力によって、ピストン下限位置に位置するピストン部３３は、ピストン上限位置に位置しようと戻り方向Ｚ２に移動する。
このとき、突起基部８２は、接触部５４の押下方向Ｚ１側に位置する。このとき、突起基部８２は、凸条部５９に係止してもよいし、係止していなくてもよい。このため、破断した突起基部８２は、使用者には見られないで済むので、化粧品１００の意匠性は保たれる。そして、使用者は突起部８０が見えないので、ポンプ容器１ｄはすでに使用されたことを容易に認識することができる。
また、ボタン接続部７３は完全嵌合状態となっているので、ピストン部３３に対して押下方向Ｚ１側に位置する。このため、上下方向Ｚにおいて、リブ凸部７４ａは逃げ溝１０３と同じ位置に位置し、また、リブ側押下阻止用溝７４ｃは、容器凸部１０２に位置する。
【００６３】
次に、図３１に示すように、使用者が、ポンプ容器１ｄの使用を止めるときは、押下ボタン７０ｄを回転させる。
また、ボタン接続部７３は完全嵌合状態となっているので、上下方向Ｚにおいて、リブ凸部７４ａは逃げ溝１０３と同じ位置に位置し、また、リブ側押下阻止用溝７４ｃは、容器凸部１０２に位置している。このため、押下ボタン７０ｄを押下許容回転位置とは異なる位置に回転させるだけで、容器凸部１０２をリブ側押下阻止用溝７４ｃ内に配置することができる。これにより、容器凸部１０２は、押下ボタン７０ｄに押下方向Ｚ１の外力が作用しても、容器凸部１０２がリブ側押下阻止用溝７４ｃにおける戻り方向Ｚ２側の側面に接触する。そして、このような押下方向Ｚ１の外力が作用した状態で、押下ボタン７０ｄが回転しようとしても、容器凸部１０２が２つの回転抑止用リブ段部７４ｅのいずれかに当接するので、押下ボタン７０ｄが回転することを防止することができる。
そして、使用者が、再び、ポンプ容器１ｄを使用するときは、使用者が押下ボタン７０ｄを押下阻止回転位置から押下許容回転位置へ回転させることになる。このとき、容器凸部１０２は２つの段部７４ｆのいずれかと接触する。そして、さらに強い力で押下ボタン７０ｄを回転させると容器凸部１０２が段部７４ｆを乗り上げて超える。そして、使用者は、容器凸部１０２が段部７４ｆを乗り上げて超える際の感触を、押下ボタン７０ｄを介して感じることができるので、押下ボタン７０ｄが確実に押下許容回転位置に回転したことを判断することができる。
【００６４】
（ポンプ容器の突起部の形状）
以下、図３２及び図３３を参照して本発明係るポンプ容器の突起部の別の実施形態を説明する。
なお、ポンプ容器１、１ａ、１ｂ、１ｃ、１ｄと同じ構成については、同じ符号を付して、その説明を省略する。
【００６５】
図３２に示すように、突起部８０ａは、リブ部７４から隆起する１つの突起基部８２ａと、突起基部８２ａに形成された破断部８１ａとを備える。破断部８１ａは、リブ部７４形状に沿うようにアーチ状に形成されている。突起基部８２ａは、破断部８１ａの中央に接続している。このように、突起基部８２ａの数を１つにすることにより、突起部８０ａが破断する箇所が１つになるので、確実に、バージン性（未開封視認性）と誤作動防止機能発揮することができる。
【００６６】
図３３（ａ）に示すように、突起部８０ａは、突起基部８２ａのボタン回転軸Ｃ側が破断しやすいように、ボタン回転軸Ｃに近づくに従って上下方向Ｚの厚さが薄くなる傾斜面８３を有する突起基部８２ａを備える。傾斜面８３は、突起基部８２ａの押下方向Ｚ１側の側面が傾斜しているので、接触部５４が引っかかるように傾斜面８３に接触し、突起部８０ａをより確実に破断させることができる。
【００６７】
図３３（ｂ）に示すように、突起部８０ｂは、突起基部８２ｂのボタン回転軸Ｃ側が破断しやすいように、ボタン回転軸Ｃに近づくに従って上下方向Ｚの厚さが薄くなる傾斜面８３及び傾斜面８４を有する突起基部８２ｂを備える。傾斜面８４は、突起基部８２ａの押下方向Ｚ１側の側面及び戻し方向Ｚ２側の両方が傾斜している。突起基部８２ｂは、上下方向Ｚにおいて両側の側面が薄くなっているので、突起部８０ｂをより確実に破断させることができる。
【００６８】
図３３（ｃ）に示すように、突起部８０ｃは、突起基部８２ｄのボタン回転軸Ｃ側が破断しやすいように、ボタン回転軸Ｃに近づくに従って上下方向Ｚの厚さが薄くなる傾斜面８４と段差部８６とを有する突起基部８２ｄを備える。傾斜面８４は、突起基部８２ａの戻し方向Ｚ２側の側面のみが傾斜しており、接触面５４の角部が引っかかるように、突起基部８２ｃの押下方向Ｚ１側に段差を形成する段差部８６が形成されている。接触部５４の角部が、段差部８６が形成する段差に引っかかりやすいので、突起部８０をより確実に破断させることができる。
【００６９】
図３４に示すように、突起基部８２ｅのリブ部７４側の端部をこぶ状部８８とし、突起基部８２ｅにくびれ部８９を形成してもよい。このようにすることにより、突起部８０ｄをくびれ部８９で確実に破損させることができる。
さらに、使用者が、ポンプ容器１を使用する際、使用者が押下ボタン７０を押下阻止回転位置から押下許容回転位置へ回転させると、容器凸部はこぶ状部８８が接触する。そして、さらに強い力で押下ボタン７０を回転させると、こぶ状部８８が容器凸部を乗り上げて超える。そして、使用者は乗り上げて超える際の感触を、押下ボタン７０を介して感じることができるので、押下ボタン７０が確実に押下許容回転位置に回転したことを判断することができる。
【００７０】
さらに、開口部５８内に、押下ボタン７０を押下一部回転許容位置に回転する直前に突起基部８２が乗り上げるような、上下方向Ｚに伸びる細い凸部を形成した回転感触把握手段を形成することが好ましい。使用者が、ポンプ容器１を使用する際、使用者が押下ボタン７０を押下阻止回転位置から押下許容回転位置へ回転させると、細い凸部はこぶ状部８８が接触する。そして、さらに強い力で押下ボタン７０を回転させると、こぶ状部８８が細い凸部を乗り上げて超える。そして、使用者は乗り上げて超える際の感触や音を、押下ボタン７０を介して感じることができるので、押下ボタン７０が確実に押下許容回転位置に回転したことを判断することができる。
【００７１】
なお、図３４に示す突起基部８２ｅのリブ部７４側の端部に形成したこぶ状部８８及びくびれ部８９と、開口部５８に形成した細い凸部とからなる回転感触把握手段は、上述の第２実施形態から第４実施形態に適用するこができる。また、押下阻止回転位置と押下許容回転位置を視覚的に把握することができる図柄を接触部５４の天面に形成する案内図柄も上述の第２実施形態から第４実施形態に適用するこができる。さらに、回転感触把握手段と案内図柄とは、組み合わせて適用することが好ましい。
【００７２】
内容物は例えば化粧用、毛染め用、洗顔用や洗髪用等の液体、ジェル、フォーマーやクリーム等である。或いは、食品用に関する内容物でも構わない。しかし、化粧品であることが好ましい。
【００７３】
上述した実施形態に関し、本発明はさらに以下の態様を開示する。
【００７４】
本発明は下記＜１＞に記載のポンプ容器である。
【００７５】
＜１＞内容物を収納する収納部を有する容器本体と前記容器本体に形成された開口部とを有する容器と、前記収納部に収納された前記内容物を吸引できるように前記開口部内に取り付けられたピストン部を有するポンプと、押下ボタン本体と前記押下ボタン本体に形成され前記ピストン部に取り付けられるボタン接続部と前記押下ボタン本体に形成された突起部とを有する押下ボタンと、を備え、前記突起部は、前記押下ボタン本体に形成された突起基部と、前記押下ボタン本体から破断する破断部とを有し、前記容器は、さらに、前記ピストン部がピストン上限位置からピストン下限位置への押下方向に移動する際に、前記破断部が破断するように前記突起部と接触する接触部を有する、ポンプ容器。
【００７６】
本発明は、さらに以下のポンプ容器であることが好ましい。
本発明は、さらに以下の化粧料ポンプ容器であることが好ましい。
＜２＞押下ボタン本体の側面には、吐出口と突起部とが隆起しており、突起部は、吐出口と同じ方向に形成されている、前記＜１＞に記載のポンプ容器。
＜３＞押下ボタン本体の側面には、吐出口と突起部とが隆起しており、突起部は、吐出口とは反対側方向に形成されている、前記＜１＞に記載のポンプ容器。
＜４＞押下ボタンを回転する際、押下ボタンを左右からつまんで持つための、対向するガイド部が押下ボタン表面に形成されている、前記＜１＞から前記＜３＞のいずれかに記載のポンプ容器。
＜５＞ボタン接続部は、押下ボタン本体がシリンダ本体に対して、押下方向及び戻り方向に伸びるボタン回転軸を中心に押下許容回転位置と押下阻止回転位置との間を回転可能にピストン部に取り付けられており、押下ボタンは、押下ボタン本体の押下方向側の端部から押下方向に伸びるリブ部を有し、容器は、押下ボタン本体が押下阻止回転位置にあるとき、リブ部の押下方向側が当接してピストン部がピストン下限位置に移動しないように、開口部内に凸状に形成された押下阻止部と、押下ボタン本体が押下許容回転位置にあるとき、ピストン部がピストン下限位置に移動できるように、開口部内に形成されたリブ部の押下方向側が入り込む押下許容溝部とを有する、前記＜１＞から前記＜４＞のいずれかに記載のポンプ容器。
＜６＞リブ部を２つ有する、前記＜５＞に記載のポンプ容器。
＜７＞ピストン部は、戻り方向に伸びる柱外側面形状部と、柱外側面形状部を戻り方向側であるピストン先端部と押下方向側であるピストン基端部とに分けるように、柱外側面形状部に円周方向に伸びる凸条部とを有し、ボタン接続部は、柱外側面形状部において、ピストン先端部のみ嵌合する仮嵌合状態とピストン先端部及びピストン基端部に嵌合する完全嵌合状態とになり、押下阻止部は、仮嵌合状態かつ押下ボタン本体が押下阻止回転位置にあるとき、ピストン部がピストン下限位置に移動しないように、開口部内に形成されたリブ部の押下方向側が当接し、容器は、さらに、完全嵌合状態かつ押下ボタン本体が押下阻止回転位置と押下許容回転位置との間の押下一部許容回転位置にあるとき、ピストン部がピストン下限位置に移動しないように、開口部内に形成されたリブ部の押下方向側が当接する押下一部阻止部を有する、前記＜５＞又は前記＜６＞に記載のポンプ容器。
＜８＞ボタン接続部は、凸条部の外径よりも若干小さい内径を有する、前記＜７＞に記載のポンプ容器。
＜９＞破断部は、完全嵌合状態において、開口部から露出しない位置に形成されている、前記＜７＞又は前記＜８＞に記載のポンプ容器。
＜１０＞リブ部の押下方向側の端面と、押下阻止部の戻り方向側の端面とは、仮嵌合状態において、押下ボタン本体が押下阻止回転位置にあるとき、互いに噛み合う凸凹形状を有する、前記＜７＞から前記＜９＞のいずれかに記載のポンプ容器。
＜１１＞容器は、さらに、開口部の内側にボタン回転軸側に隆起する凸条部を有し、破断部が押下ボタン本体から破断した状態において、ピストン部が押下方向又は戻り方向に移動する際に、突起基部が、弾性変形しながら容器の凸条部を乗り越える、前記＜５＞から前記＜１０＞のいずれかに記載のポンプ容器。
＜１２＞押下ボタンは、リブ部においてボタン回転軸とは反対側であるリブ部外側面から隆起するリブ凸部を有し、容器は、さらに、押下ボタンが押下許容回転位置と押下阻止回転位置との間を移動することができるように、リブ凸部を案内することができる容器側押下阻止用溝であってボタン回転軸を中心とする円周方向に伸び、リブ凸部が移動可能な容器側押下阻止用溝を有する、前記＜５＞から前記＜１０＞のいずれかに記載のポンプ容器。
＜１３＞開口部は、さらに、容器側押下阻止用溝における押下方向側の側面から戻り方向に向けて隆起する回転抑止用段部を有する、前記＜１２＞に記載のポンプ容器。
＜１４＞開口部は、さらに、容器側押下阻止用溝の底面から、ボタン回転軸に向けて隆起する段部を有する、前記＜１２＞又は前記＜１３＞に記載のポンプ容器。
＜１５＞段部は、回転抑止用段部の近傍に形成されている、前記＜１４＞に記載のポンプ容器。
＜１６＞容器は、開口部においてボタン回転軸側である開口部内側面からボタン回転軸に向けて隆起する容器凸部を有し、押下ボタンは、押下ボタンが押下許容回転位置と押下阻止回転位置との間を移動することができるように、ボタン回転軸を中心とする円周方向に伸び、容器凸部が移動可能なリブ側押下阻止用溝を有する、前記＜５＞から前記＜１０＞に記載のポンプ容器。
＜１７＞ボタン回転軸Ｃを中心とする円周方向における各容器凸部の長さは、開口部内側面の１／４の長さである、前記＜１６＞に記載のポンプ容器。
＜１８＞押下ボタンは、さらに、リブ側押下阻止用溝における戻り方向側の側面から押下方向に向けて隆起する回転抑止用リブ段部を有する、前記＜１６＞又は前記＜１７＞に記載のポンプ容器。
＜１９＞回転抑止用リブ段部を２つ有し、２つの回転抑止用リブ段部の間の距離は、ボタン回転軸Ｃを中心とする円周方向における容器凸部の長さよりも長い、前記＜１８＞に記載のポンプ容器。
＜２０＞押下ボタンは、さらに、リブ側押下阻止用溝の底面から、ボタン回転軸とは反対側に向けて隆起する段部を有する、前記＜１６＞から前記＜１９＞のいずれかに記載のポンプ容器。
＜２１＞段部を２つ有し、２つの段部の間の距離は、ボタン回転軸Ｃを中心とする円周方向における容器凸部の長さよりも長い、前記＜２０＞に記載のポンプ容器。
＜２２＞突起部は、リブ部から隆起する１つの突起基部と、突起基部に形成された破断部とを備える、前記＜１＞から前記＜２１＞のいずれかに記載のポンプ容器。
＜２３＞突起部は、突起基部のボタン回転軸Ｃ側が破断しやすいように、ボタン回転軸Ｃに近づくに従って上下方向Ｚの厚さが薄くなる傾斜面を有する、前記＜１＞から前記＜２２＞のいずれかに記載のポンプ容器。
＜２４＞突起部は、突起基部のボタン回転軸Ｃ側が破断しやすいように、ボタン回転軸Ｃに近づくに従って上下方向Ｚの厚さが薄くなる傾斜面と段差部とを有する突起基部を備える、前記＜１＞から前記＜２２＞のいずれかに記載のポンプ容器。
＜２５＞突起基部のリブ部側の端部をこぶ状部とし、突起基部にくびれ部を備える、前記＜１＞から前記＜２４＞のいずれかに記載のポンプ容器。
＜２６＞突起部は、突起基部の先端から橋渡すように円弧状の破断部を有する、前記＜１＞から前記＜２５＞に記載のポンプ容器。
【００７７】
なお、本発明の実施の形態に記載された効果は、本発明から生じる最も好適な効果を列挙したに過ぎず、本発明による効果は、本発明の実施の形態に記載されたものに限定されるものではない。
【符号の説明】
【００７８】
Ｃ  ボタン回転軸
Ｚ  上下方向
Ｚ１  押下方向
Ｚ２  戻り方向
１、１ａ、１ｂ、１ｃ、１ｄ  化粧料ポンプ容器
５  容器
１０  容器本体
１２  収納部
１４  首部
３０  化粧料用ポンプ
３１  シリンダ本体
３３  ピストン部
３６ａ  ピストン先端部
３６ｂ  ピストン基端部
３８  シリンダ部
３９  ピストン付勢部
５０、５０ａ、５０ｄ  キャップ
５１  キャップ本体
５２  ポンプ押さえ部
５３  取付部
５４  接触部
５５、５５ｂ  押下阻止部
５６  押下許容溝部
５７  押下一部阻止部
５８  開口部
５９  凸条部
６１、６２  凸条部
６２ａ  回転抑止用段部
６２ｂ  段部
６３  凸条部
７０、７０ａ、７０ｂ、７０ｃ、７０ｄ  押下ボタン
７１  押下ボタン本体
７２  吐出口
７３  ボタン接続部
７４  リブ部
７４ａ  リブ凸部
７４ｃ  リブ側押下阻止用溝
７４ｅ  回転抑止用リブ段部
７４ｆ  段部
７５  逃げ溝
７９  押下面
８０  突起部
８１  破断部
８２  突起基部
８８  こぶ状部
８９  くびれ部
９１  容器側押下阻止用溝
１０２  容器凸部
１０３  逃げ溝
【図１】
0005793416.tif 000002
【図２】
0005793416.tif 000003
【図３】
0005793416.tif 000004
【図４】
0005793416.tif 000005
【図５】
0005793416.tif 000006
【図６】
0005793416.tif 000007
【図７】
0005793416.tif 000008
【図８】
0005793416.tif 000009
【図９】
0005793416.tif 000010
【図１０】
0005793416.tif 000011
【図１１】
0005793416.tif 000012
【図１２】
0005793416.tif 000013
【図１３】
0005793416.tif 000014
【図１４】
0005793416.tif 000015
【図１５】
0005793416.tif 000016
【図１６】
0005793416.tif 000017
【図１７】
0005793416.tif 000018
【図１８】
0005793416.tif 000019
【図１９】
0005793416.tif 000020
【図２０】
0005793416.tif 000021
【図２１】
0005793416.tif 000022
【図２２】
0005793416.tif 000023
【図２３】
0005793416.tif 000024
【図２４】
0005793416.tif 000025
【図２５】
0005793416.tif 000026
【図２６】
0005793416.tif 000027
【図２７】
0005793416.tif 000028
【図２８】
0005793416.tif 000029
【図２９】
0005793416.tif 000030
【図３０】
0005793416.tif 000031
【図３１】
0005793416.tif 000032
【図３２】
0005793416.tif 000033
【図３３】
0005793416.tif 000034
【図３４】
0005793416.tif 000035